(57)【要約】【課題】鍵変換機構を有する八万ロック錠を提供する。【解決手段】固定ハウジング２内にロータ５が回転可能に収容され、コードピン６とドライブピン７との境界が固定ハウジングとロータとの境界に位置する通常シアラインＡに整列して開錠される八万ロック錠１において、ロータは互いに独立して回転可能な第１ロータ３と第２ロータ４とに分割され、第１ロータは第２ロータに対し施錠・開錠が可能な通常位置と、通常位置から回転した位置にあり鍵変換が行なわれる変換位置とを有し、コードピンは、第１ロータに収容される第１従動ピン６１と、第２ロータに収容される第２従動ピン６２とに分割され、第１ロータが通常位置にあるとき、第１従動ピンは第２従動ピンに連接し、第１ロータが変換位置にあるとき、第２ロータに収容され第１ロータに向けバネ付勢された鍵変換ピンＰが第１従動ピンに向け移動する構成とした。【選択図】図４
2008196277.tif 000002
【特許請求の範囲】
【請求項１】
固定ハウジング内にロータが回転可能に収容され、前記固定ハウジングと前記ロータとにまたがり前記ロータの回転軸と並行する方向に配列されたコードピンおよびドライブピンを備え、前記コードピンと前記ドライブピンとの境界が、前記固定ハウジングと前記ロータとの境界に位置する通常シアラインに整列して開錠される八万ロック錠において、
前記ロータは、前記回転軸に直行する方向成分を含んで分割されて、
鍵穴側に位置する第１ロータと、
前記第１ロータおよび前記固定ハウジングの間に挟持される第２ロータとで構成され、
さらに、前記第２ロータを、前記第１ロータおよび前記固定ハウジングのいずれか一方に対し回転不能で他方に対し回転可能とする回転選択手段が前記固定ハウジングと前記ロータとにまたがり設けられ、
前記第１ロータは前記第２ロータに対し、前記八万ロック錠の施錠・開錠が可能な通常位置と、前記通常位置から予め決められた角度回転した位置にあり鍵変換が行なわれる変換位置とを有し、
前記コードピンは、前記第１ロータに形成された第１従動ピン孔に収容される第１従動ピンと、前記第２ロータに形成された第２従動ピン孔に収容される第２従動ピンとを含んで構成され、
前記第１ロータが前記通常位置にあるとき、前記第１従動ピン孔は前記第２従動ピン孔に連通し、
前記第１ロータが前記変換位置にあるとき、前記第１従動ピン孔は、前記第２ロータに前記回転軸と並行して穿設され有底の変換ピン孔に連通し、
前記変換ピン孔は鍵変換ピンを前記第１ロータに向けバネ付勢して収容可能であり、
前記鍵変換ピンは、前記変換ピン孔および前記第１従動ピン孔の間を移動可能であることを特徴とする八万ロック錠。
【請求項２】
前記回転選択手段は、
前記固定ハウジングから前記第２ロータを経て前記第１ロータに至る有底の連通孔と、
前記連通孔内に収容されて前記第１ロータから前記固定ハウジングに向けバネ付勢された連結ピンと、
前記固定ハウジング側に配設されて前記連結ピンを前記第１ロータに向け押圧可能な押圧手段とを含んで構成され、
さらに、前記連結ピンは、前記第１ロータから前記固定ハウジングに向い第１〜第３連結ピンに分割されており、
前記連結ピンが押圧されていないとき、前記第２連結ピンと前記第３連結ピンとの境界が前記通常シアラインに整列するとともに、前記第１連結ピンは前記第２ロータと前記第１ロータとの境界に位置する変換シアラインに進入し、
前記連結ピンが押圧されたとき、前記第３連結ピンが前記通常シアラインに進入するとともに前記第１連結ピンと前記第２連結ピンとの境界が前記変換シアラインに整列する請求項１に記載の八万ロック錠。
【請求項３】
前記第１ロータを前記回転軸と並行な方向に貫通して保持ピンを収容する保持ピン孔が穿設され、
前記保持ピン孔は、前記第１ロータが前記通常位置にあるとき前記鍵変換ピン孔に連通し、前記変換位置にあるとき前記第２従動ピン孔に連通し、
前記保持ピンは、前記第１ロータから前記鍵穴側に突出可能である請求項１または請求項２に記載の八万ロック錠。
【発明の詳細な説明】
【技術分野】
【０００１】
この発明は、鍵変換機構を有する八万ロック錠に関する。
【背景技術】
【０００２】
防犯上の理由から、錠を交換することなく鍵を変換可能なピンタンブラー錠が提案されている。特許文献１には、異なった配列位置の２本の有底ピン孔または貫通ピン孔に、各々ボールがドライブピンとコードピンの間に挿入され、変換用のキーをキー挿入口に差し込んで、ロータを最初の位置に戻す際、該２個のボールのうちの少なくとも１個のボールを選択的に移動させてキーを変換することを特徴とする鍵変換式ピンタンブラー錠が開示されている。
【特許文献１】特開２００５−３０７６４１号公報（段落０００９、図１０）
【発明の開示】
【発明が解決しようとする課題】
【０００３】
特許文献１のピンタンブラー錠によれば、変換キーを使用せずに、メインキーから３種類のサブキーに任意に変換することができる。しかし、鍵変換用の２個のボールの両端が開錠用のシアラインに整列可能な構造であるため、不正開錠しようとした場合、開錠可能な位置が計４箇所あることになる。
【０００４】
本発明は以上に鑑み、施錠・開錠時にボール等の鍵変換用の部材が施・開錠に関与する通常のシアラインに整列しない鍵変換機構を有する八万ロック錠を提供することを目的とする。
【課題を解決するための手段】
【０００５】
前述の課題を解決するための本発明は、固定ハウジング内にロータが回転可能に収容され、固定ハウジングとロータとにまたがりロータの回転軸と並行する方向に配列されたコードピンおよびドライブピンを備え、コードピンとドライブピンとの境界が、固定ハウジングとロータとの境界に位置する通常シアラインに整列して開錠される八万ロック錠を前提とする。
【０００６】
この前提における本発明の特徴は、ロータは、回転軸に直行する方向成分を含んで分割されて、鍵穴側に位置する第１ロータと、第１ロータおよび固定ハウジングの間に挟持される第２ロータとで構成され、さらに、第２ロータを、第１ロータおよび固定ハウジングのいずれか一方に対し回転不能で他方に対し回転可能とする回転選択手段が固定ハウジングとロータとにまたがり設けられ、第１ロータは第２ロータに対し、八万ロック錠の施錠・開錠が可能な通常位置と、通常位置から予め決められた角度回転した位置にあり鍵変換が行なわれる変換位置とを有し、コードピンは、第１ロータに形成された第１従動ピン孔に収容される第１従動ピンと、第２ロータに形成された第２従動ピン孔に収容される第２従動ピンとを含んで構成され、第１ロータが通常位置にあるとき、第１従動ピン孔は第２従動ピン孔に連通し、第１ロータが変換位置にあるとき、第１従動ピン孔は、第２ロータに回転軸と並行して穿設され有底の変換ピン孔に連通し、変換ピン孔は鍵変換ピンを第１ロータに向けバネ付勢して収容可能であり、鍵変換ピンは、変換ピン孔および第１従動ピン孔の間を移動可能なことにある。
【０００７】
本発明の１つの実施態様では、回転選択手段は、固定ハウジングから第２ロータを経て第１ロータに至る有底の連通孔と、連通孔内に収容されて第１ロータから固定ハウジングに向けバネ付勢された連結ピンと、固定ハウジング側に配設されて連結ピンを第１ロータに向け押圧可能な押圧手段とを含んで構成され、さらに、連結ピンは、第１ロータから固定ハウジングに向い第１〜第３連結ピンに分割されており、連結ピンが押圧されていないとき、第２連結ピンと第３連結ピンとの境界が通常シアラインに整列するとともに、第１連結ピンは第２ロータと第１ロータとの境界に位置する変換シアラインに進入し、連結ピンが押圧されたとき、第３連結ピンが通常シアラインに進入するとともに第１連結ピンと第２連結ピンとの境界が変換シアラインに整列する。
【０００８】
また、別の実施態様では、第１ロータを回転軸と並行な方向に貫通して保持ピンを収容する保持ピン孔が穿設され、保持ピン孔は、第１ロータが通常位置にあるとき鍵変換ピン孔に連通し、変換位置にあるとき第２従動ピン孔に連通し、保持ピンは、第１ロータから鍵穴側に突出可能である。
【発明の効果】
【０００９】
本発明の八万ロック錠では、変換前の鍵を鍵穴に挿入して開錠した状態で、回転選択手段により第２ロータを第１ロータに対し回転可能、かつ、固定ハウジングに対し回転不能とし、第１ロータを通常位置から変換位置まで回転させると、第１ロータに形成された第１従動ピン孔が第２ロータに穿設された変換ピン孔に連通する。
【００１０】
このとき、変換ピン孔に鍵変換ピンが収容されている場合、鍵溝がより深い別の鍵に差し替えると、鍵変換ピンは第１従動ピン孔に移動し、続いて第１ロータを変換位置から通常位置まで回転させて戻すと、鍵変換ピンは第１従動ピンとともに移動し、第１従動ピンは鍵変換ピンを介して第２従動ピンと連接する状態になる。すなわち、コードピンの実効長が鍵変換ピンの分だけ長くなる。または、既に鍵変換ピンが第１従動ピン孔に第１従動ピンとともに収容されている場合は、鍵溝がより浅い別の鍵に差し替えると、鍵変換ピンは変換ピン孔に移動し、コードピンの実効長が鍵変換ピンの分だけ短くなる。
【００１１】
これにより、八万ロック錠を交換することなく鍵を変換することができる。また鍵変換ピンは、第２ロータと固定ハウジングとの境界に位置する通常シアラインに位置することはないので、鍵変換用の部材が施・開錠に関与する通常のシアラインに整列しない鍵変換機構を有する八万ロック錠を提供することができる。
【発明を実施するための最良の形態】
【００１２】
添付の図面を参照して、本発明に係る八万ロック錠１について説明する。
図１は通常位置での八万ロック錠１の分解斜視図、図２は八万ロック錠１を鍵穴Ｈ側から見た正面図、図３（ａ）は通常位置での図１のＩＩＩ−ＩＩＩ線で切断した端面図、図３（ｂ）は変換位置での図１のＩＩＩ−ＩＩＩ線で切断した端面図である。なお、以下の説明では、変換位置は、第１ロータ３を第２ロータ４に対し１８０°回転させた位置であるものとする。
【００１３】
図１に示すように、八万ロック錠１は、ケーシング２１および固定プラグ２２で構成される固定ハウジング２と、固定ハウジング２内に回転可能に収容される円柱状のロータ５と、ロータ５の回転軸Ｍに並行する方向に配列されたコードピン６およびドライブピン７とを備える。ロータ５は、独立して回転可能な第１ロータ３と第２ロータ４とに、回転軸Ｍに直行する方向成分を含んで分割され、コードピン６は、第１従動ピン６１と第２従動ピン６２とに分割されている。
また、第２ロータ４には、第１ロータ３に向けバネ付勢された鍵変換ピンＰを収容可能な有底の変換ピン孔４１が、回転軸Ｍと並行な方向に穿設されている。
【００１４】
八万ロック錠１はさらに、第１〜第３連結ピン８ａ〜８ｃからなる連結ピン８、および押圧板９を主な構成要素とする回転選択手段のほか、第２ロータ４のテール部４３に固着される角度ストッパ１１、角度ストッパ１１が回転可能に挿通される裏板１２を備える。
八万ロック錠１の鍵Ｋは、平板状の把持部１３と複数の鍵溝１４が形成された円筒部１５と、円筒部１５に立設された係止板１６とを備える。
以下、八万ロック錠１の各部の詳細を説明する。
【００１５】
固定ハウジング２を構成するケーシング２１は、ロータ５を回転可能に収容する円柱状空洞の収容孔２３、収容孔２３に連通して設けられる円形状の鍵穴Ｈ、八万ロック錠１を扉等に取り付けるためのネジ孔ＳＨ、収容孔２３より外側で回転軸Ｍに並行して延在し、固定プラグ２２の嵌入突起２４が嵌入される嵌入溝２６を備える。収容孔２３の中心軸と、鍵穴Ｈの中心軸は回転軸Ｍと一致する。また、鍵穴Ｈは鍵Ｋの円筒部１５を挿入可能に形成されるとともに、鍵Ｋの係止板１６が通過可能な透孔２７が形成されている。
【００１６】
また、固定ハウジング２を構成する固定プラグ２２は、収容孔２３に収容される円筒状部２８と、円筒状部２８から回転軸Ｍと直交する方向に延出する嵌入突起２４とを有し、さらに、ドライブピン７および駆動バネ７１を収容する有底のドライブピン孔２５と、固定プラグ２２を貫通し連結ピン８が挿通される連通孔８１の一部とが、回転軸Ｍと並行に穿設されている。また固定プラグ２２は、第２ロータ４のテール部４３が回転可能に挿通され、回転軸Ｍを中心軸とする円形貫通孔２９を有する。なお、図１では駆動バネ７１の図示を一部省略している。
【００１７】
第１ロータ３は、回転軸Ｍを中心軸とする円柱状であり、収容孔２３内の鍵穴Ｈ側に位置して第２ロータ４とともに収容孔２３に収容されている。また、回転軸Ｍを中心軸として、鍵穴Ｈ側に突き出す第１小円柱部３３、および第２ロータ４側に突き出す第２小円柱部３４を有する。第１小円柱部３３には、挿入された鍵Ｋの係止板１６が進入・退出可能な係止溝３５が設けられており、鍵Ｋを鍵穴Ｈに挿入して回すと、鍵Ｋの係止板１６が係止溝３５に進入し第１ロータ３が鍵Ｋとともに回転する。
【００１８】
第１ロータ３にはまた、保持ピン５１が収容される保持ピン孔３１と第１従動ピン６１が収容される第１従動ピン孔３２とが、回転軸Ｍと並行して貫通している。保持ピン孔３１は、第２ロータ４に穿設された変換ピン孔４１に、通常位置において連通可能な位置に設けられる。
【００１９】
保持ピン５１は円柱状であり、一方の端が保持ピン孔３１から鍵穴Ｈ側に突出可能であり、施錠・開錠時に鍵Ｋの鍵溝１４がこの突出する部分に当接し、保持ピン５１は鍵Ｋの挿入方向に押されて移動する。また、保持ピン５１は、施錠・開錠時に第１ロータ３と第２ロータ４の境界に位置する変換シアラインＢ(図１に図示せず)に進入不能に構成される。図示例の保持ピン５１では、施錠・開錠時に、第２ロータ４側の端が変換シアラインＢに整列する。
【００２０】
第１従動ピン６１もまた、通常位置において一方の端が第１従動ピン孔３２から鍵穴Ｈ側に突出可能な長さを有し、鍵穴Ｈから覗き込むと保持ピン５１、第１従動ピン６１の突出している部分が見える（図２参照）。第１ロータ３にはさらに、連結ピン８が挿通される連通孔８１の一部が、第２ロータ４に対向する面から回転軸Ｍと並行な方向に穿孔され有底となるようにして設けられている。
【００２１】
第２ロータ４は、回転軸Ｍを中心軸とする円柱状であり、収容孔２３内に、第１ロータ３と固定プラグ２２との間に挟持されて収容されており、回転軸Ｍを中心軸として固定プラグ２２側に延出する円柱状のテール部４３と、第１ロータ３に対向する面に穿設され回転軸Ｍを中心軸とする有底の連結孔４４と、第１ロータ３に対向する面に回転軸Ｍと並行して穿設され有底の変換ピン孔４１と、回転軸Ｍと並行して貫通する第２従動ピン孔４２と、連結ピン８が挿通される連通孔８１の一部とを備える。
【００２２】
テール部４３は固定プラグ２２の貫通孔２９を貫通して突出可能な長さを有し、固定プラグ２２から突出する末端部４５には、角度ストッパ１１が嵌着、螺着等により固着される。これにより、角度ストッパ１１は第２ロータ４とともに回転する。
連結孔４４は、径が第１ロータ３の第２小円柱部３４より僅かに大きい円柱状の有底孔であり、第１ロータ３の第２小円柱部３４が摺動可能に挿入される。
【００２３】
第２ロータ４の第１ロータ３に対向する面に形成される変換ピン孔４１は、後述するように、通常位置において、回転軸Ｍを中心とする同一円周上で一対となる第１従動ピン６１に対し１８０°ずれた位置に、第２ロータ４の第１ロータ３に対向する面から固定プラグ２２へ向かう方向に、回転軸Ｍと並行に穿設される有底孔である。換言すると、変換ピン孔４１は、変換位置において、一対となる第１従動ピン孔３２と連通可能に穿設されている。
【００２４】
変換ピン孔４１は、鍵変換ピンＰと、鍵変換ピンＰを第１ロータ３に向け付勢する変換バネ５３と、変換バネ５３と鍵変換ピンＰの間に介在する補助ピン５２とを収容可能である。また、変換ピン孔４１と保持ピン孔３１、第１従動ピン孔３２、第２従動ピン孔４２はほぼ同一径の孔であり、鍵変換ピンＰは、第１従動ピン６１、第２従動ピン６２とほぼ同一径で、変換ピン孔４１より僅かに小さい径の円盤または球である。補助ピン５２と保持ピン５１の径も、変換ピン孔４１より僅かに小さい。なお、図１では変換バネ５３の図示を一部省略している。
【００２５】
第２ロータ４に形成される第２従動ピン孔４２は、通常位置において第１ロータ３の第１従動ピン孔３２に連通可能な位置に回転軸Ｍと並行して形成される貫通孔であり、第２従動ピン６２が摺動可能に収容される。
【００２６】
ここで、第２ロータ４と固定プラグ２２との境界面には通常シアラインＡ(図１に図示せず)が形成され、第２ロータ４と第１ロータ３との境界面には変換シアラインＢ(図１に図示せず)が形成される。通常シアラインＡと変換シアラインＢは、ともに回転軸Ｍに直交する面内にある。
第２従動ピン６２は、通常シアラインＡと変換シアラインＢとの間の距離に実質的に等しい長さを有し、変換位置、および通常位置における開錠時に、その両端が通常シアラインＡおよび変換シアラインＢに位置する。なお、第２従動ピン６２は、施錠時には、変換シアラインＢに進入してロータ５を固定ハウジング２に対し回転不能にする。また、長さが通常シアラインＡと変換シアラインＢとの間の距離に等しい第２従動ピン６２を、複数に分割する構成にすることもできる。
【００２７】
図１に示す八万ロック錠１は、４本の第１従動ピン６１と、４つの変換ピン孔４１およびこれに対向する４本の保持ピン５１とを備える。
図２に示すように、第１ロータ３に収容される第１従動ピン６１は、回転軸Ｍを中心とする同一円周上で１８０°ずれた位置にある変換ピン孔４１と一対で設けられる。例えば、Ａを付して示す第１従動ピン６１は、αを付して示した保持ピン５１および変換ピン孔４１と一対である。Ｂ〜Ｄを付した第１従動ピン６１と、β〜δを付した保持ピン５１および変換ピン孔４１も同様の関係にある。
【００２８】
すなわち、第１ロータ３を第２ロータ４に対し通常位置から変換位置まで１８０°回転させたとき、例えばＡを付した第１従動ピン６１は、対応するαを付した変換ピン孔４１の位置に移動し、変換ピン孔４１との間で鍵変換ピンＰを授受可能である。なお、一対の第１従動ピン６１と変換ピン孔４１は同一円周上に配置されるが、複数の第１従動ピン６１が同一円周上に配置される必要はない。また、図２は通常位置における正面図であり、変換ピン孔４１は保持ピン５１の背後にあり、第１従動ピン孔３２は第１従動ピン６１の周縁にある。
【００２９】
図１に戻って、第２ロータ４のテール部４３に固着される角度ストッパ１１は、固定プラグ２２に対向するフランジ部１１ａと、フランジ部１１ａより小径の筒状部１１ｂとを有し、筒状部１１ｂは裏板１２に設けられた角度規制孔１２ａ内で回転可能であり、筒状部１１ｂに形成された突起部１１ｃが、角度規制孔１２ａのストッパ部１２ｂに当接することにより、第２ロータ４の回転可能な角度が、例えば９０°に規制される。
【００３０】
裏板１２は、角度規制孔１２ａを有する板状の部材であり、角度ストッパ１１のフランジ部１１ａと、固定プラグ２２の背面を覆うようにして、図示しないネジによりケーシング２１に固定される。裏板１２にはさらに、回転選択手段の一部である押圧板９のレバー部９２が挿通される切欠き１２ｃが形成されている。
【００３１】
次に、図１と図３（ａ），（ｂ）を参照して、回転選択手段について説明する。
回転選択手段は、固定プラグ２２から第２ロータ４を経て第１ロータ３に至る有底の連通孔８１と、第１〜第３連結ピン８ａ〜８ｃに３分割された連結ピン８と、連通孔８１に収容された連結ピン８を第１ロータ３から固定プラグ２２に向け付勢する連結バネ８２と、固定プラグ２２側に配設されて連結ピン８を第１ロータ３に向け押圧可能な押圧板９、および押圧板９をバネ付勢する押圧バネ９４からなる押圧手段とで構成される。なお、第１〜第３連結ピン８ａ，８ｂ，８ｃは回転軸Ｍに直交する平面に沿って分割されている。
【００３２】
押圧板９は、回転軸Ｍに直交する方向に延在する板状部材であり、押圧バネ９４で回転軸Ｍから遠ざかる方向にバネ付勢されており、固定プラグ２２と角度ストッパ１１のフランジ部１１ａ、および裏板１２の間に摺動可能に挟持され、回転軸Ｍに直交する方向に往復動可能である。押圧板９の回転軸Ｍに近い方の端部には、固定プラグ２２から突出する第３連結ピン８ｃに摺接可能な傾斜面９１が、第３連結ピン８ｃと成す角度が鋭角になるようにして設けられている。また、回転軸Ｍから遠い方の端部には、裏板１２の切欠き１２ｃに挿通されるレバー部９２と、バネ当接部９３が回転軸Ｍに並行に設けられている。
【００３３】
図３（ａ）に示すように、連通孔８１は、第１ロータ３と第２ロータ４が固定プラグ２２に対し通常位置にあるとき、固定プラグ２２と第２ロータ４を貫通し、第１ロータ３において有底となるように連続して穿設されている。第１〜第３連結ピン８ａ，８ｂ，８ｃはそれぞれ、第１ロータ３、第２ロータ４、固定プラグ２２に形成されている連通孔８１に収容されて連接する。
【００３４】
連通孔８１の第１ロータ３に形成されている部分には、第１連結ピン８ａとともに、連結ピン８を固定プラグ２２に向け付勢する連結バネ８２が収容される。第１連結ピン８ａは、変換シアラインＢに対し進退可能であり、通常位置において変換シアラインＢに進入して第２ロータ４を第１ロータ３に対し回転不能にする。
【００３５】
第２ロータ４に収容される第２連結ピン８ｂの長さは、通常シアラインＡと変換シアラインＢとの間の距離から、連結ピン８が押圧板９で押圧されたとき移動する距離（以下、押圧移動距離という）を差し引いた値にほぼ等しい。これにより、通常位置において第２連結ピン８ｂと第３連結ピン８ｃとの境界が通常シアラインＡに整列し、第２ロータ４は固定プラグ２２に対し回転可能となる。また、変換位置において第１連結ピン８ａと第２連結ピン８ｂの境界が変換シアラインＢに整列することができ、第２ロータ４が第１ロータ３に対し回転可能になる。
【００３６】
固定プラグ２２に収容される第３連結ピン８ｃは、通常位置において第２連結ピン８ｂに当接する端部が通常シアラインＡに整列し、その反対側の端部が固定プラグ２２から、押圧移動距離に相当する長さだけ突出して押圧板９の傾斜面９１に摺接可能である。固定プラグ２２から突出する第３連結ピン８ｃの端部は、押圧板９の傾斜面９１に滑らかに摺接するよう丸みを帯びた形状に形成されている。
【００３７】
図３（ａ）に示す通常位置において、押圧板９のレバー部９２を回転軸Ｍに向け（図では紙面下方）押すと、第１〜第３連結ピン８ａ〜８ｃは第１ロータ３に向けて押圧され、連結バネ８２に抗して押圧移動距離だけ移動し、第３連結ピン８ｃは通常シアラインＡに進入するとともに、第１連結ピン８ａと第２連結ピン８ｂの境界が変換シアラインＢに整列する。この結果、第２ロータ４は固定プラグ２２に対し回転不能となる一方、第１ロータ３に対し回転可能な状態となる。
【００３８】
この状態のとき、鍵穴Ｈに鍵Ｋ（図示せず）を挿入し１８０°回すと、図３（ｂ）に示すように、第１ロータ３は第２ロータ４に対し変換位置まで回転移動する。変換位置では、第１ロータ３に収容される第１連結ピン８ａは第２ロータ４に当接して変換シアラインＢに整列し、第２連結ピン８ｂは第１ロータ３に当接して変換シアラインＢに整列した状態になっており、第１ロータ３を第２ロータ４に対し回転させ、通常位置まで戻すことができる。
【００３９】
次に、図４（ａ）〜（ｄ）を参照して、八万ロック錠１の鍵変換操作について説明する。図４（ａ）〜（ｄ）は、八万ロック錠１を図１のＩＶ−ＩＶ線で切断し一対の第１従動ピン６１、保持ピン５１、鍵変換ピンＰ等と、変換前の鍵Ｋまたは変換後の鍵Ｋ´の鍵溝１４との位置関係を表わす模式図である。
【００４０】
図４（ａ）は八万ロック錠１に鍵Ｋが挿入され開錠された通常位置での状態、図４（ｂ）は変換前の鍵Ｋを回して第１ロータ３を変換位置にした状態、図４（ｃ）は変換位置で変換後の鍵Ｋ´を挿入し錠交換したときの状態、図４（ｄ）は変換後の鍵Ｋ´を回して第１ロータ３を通常位置に戻した状態を表わす。なお、図４（ａ）〜（ｄ）では八万ロック錠１と鍵Ｋまたは鍵Ｋ´を離して表わしているが、実際には鍵穴Ｈに鍵Ｋまたは鍵Ｋ´が挿入されている。
【００４１】
鍵変換を行なうとき、まず変換前の鍵Ｋで八万ロック錠１を開錠する。八万ロック錠１が開錠されたとき、図４（ａ）に示すように、第２従動ピン６２とドライブピン７の境界が通常シアラインＡに整列し、第２従動ピン６２と第１従動ピン６１の境界が変換シアラインＢに整列する。鍵変換ピンＰは第２ロータ４内に収容されたままであり、鍵変換ピンＰと保持ピン５１の境界が変換シアラインＢに整列する。
なお、鍵穴Ｈに鍵Ｋを挿入すると、鍵Ｋの係止板１６が第１ロータ３の係止溝３５に進入し、鍵Ｋにより第１ロータ３を回すことが可能になる。
【００４２】
次に、押圧板９のレバー部９２（図示せず）を操作し、鍵Ｋを１８０°回して、第１ロータ３を図４（ｂ）に示す変換位置まで回す。これにより第２ロータ４は第１ロータ３に対し回転可能となり、第１従動ピン６１と保持ピン５１の位置が入れ替わり、第１従動ピン６１が鍵変換ピンＰに当接する。一方、第２ロータ４は固定プラグ２２に対し回転不能なので、第２従動ピン６２とドライブピン７の位置は変わらない。
【００４３】
次に、変換前の鍵Ｋを抜き取り、変換位置における第１従動ピン６１の位置に対応する鍵溝１４の深さがより深い変換後の鍵Ｋ´を挿入する。この操作により、図４（ｃ）に示すように第１従動ピン６１が図上紙面左方に移動し、鍵変換ピンＰが変換バネ５３で第１従動ピン６１に向けて押されて第１従動ピン孔３２内に移動する結果、第１従動ピン６１の実効長さが長くなる。
【００４４】
次に、変換後の鍵Ｋ´を１８０°回し、第１ロータ３を変換位置から通常位置に戻す。このとき、図４（ｄ）に示すように、第１従動ピン孔３２内に移動した鍵変換ピンＰは第１従動ピン６１とともに通常位置へ移動して第２従動ピン６２に当接し、鍵変換ピンＰと第２従動ピン６２の境界が、変換シアラインＢに整列する。また、第２従動ピン６２とドライブピン７の位置は変わらず、第２従動ピン６２とドライブピン７の境界が通常シアラインＡに整列している。
【００４５】
次に、図４（ｄ）の状態で、押圧板９のレバー部９２（図示せず）を戻し、第２ロータ４を第１ロータ３に対し回転不能、かつ、固定プラグ２２に対し回転可能にする。これにより、変換後の鍵Ｋ´で八万ロック錠１の施錠・開錠を行なうことが可能になり、鍵変換操作が終了する。ちなみに、変換後の鍵Ｋ´による施錠は図４（ｄ）の状態から、鍵Ｋ´を鍵穴Ｈから抜き、ドライブピン７が駆動バネ７１で押されて通常シアラインＡに進入することにより行なわれる。
【００４６】
また、変換前の鍵Ｋでは、鍵溝１４の深さが異なるため、八万ロック錠１を開錠することはできない。但し、上記操作を逆の順序、すなわち図４（ｄ）から図４（ａ）の順に操作して鍵Ｋ´を鍵Ｋに戻す鍵変換操作を行なえば、鍵Ｋで八万ロック錠１を開錠することができる。
【００４７】
以上、錠変換可能な八万ロック錠１について実施形態に基づき説明したが、本発明はこれに限定されず、種々変更して実施することができる。
【００４８】
例えば、変換位置は、第１ロータ３を第２ロータ４に対し１８０°回転させた位置であるとの前提で説明したが、第１ロータ３を第２ロータ４に対し３０°，４５°等、任意の角度回転させた位置を変換位置とすることができる。この場合、第１従動ピン６１に対応する変換ピン孔４１は、回転軸Ｍを中心とする同一円周上で３０°，４５°等ずれた位置に設けることになる。
【００４９】
また、鍵変換前において、鍵変換ピンＰは変換ピン孔４１に収容しておくものとして説明したが、第１従動ピン６１と第２従動ピン６２の間に収容しておいた鍵変換ピンＰを、変換ピン孔４１へ移動させる構成にすることもできる。この構成によれば、第１従動ピン６１の実効長さを減少させることもできるので、複数の第１従動ピン６１を設ければ、鍵変換前後の鍵違いの数を増やすことができる。
【００５０】
あるいは、第１ロータ３に保持ピン５１を収容する構成を示したが、保持ピン５１を省略することもできる。この場合、第１ロータ３で鍵変換ピンＰを変換ピン孔４１に保持する構成になる。
保持ピン５１を設ければ、鍵穴Ｈに、第１従動ピン６１が外観上区別できない保持ピン５１とともに露出するので（図２参照）、開錠に関与する第１従動ピン６１を判別し難くなり、不正開錠を困難にすることができる。さらに、複数の保持ピン５１を設ければ、第１ロータ３を何度回転させれば変換位置となるか判別が困難になるとともに、各保持ピン５１の長さを変えることで鍵変換前後の鍵違いの数を増やすことができるので好ましい。
【００５１】
また、保持ピン５１の第２ロータ４側の端が変換シアラインＢに整列する構成に代えて、保持ピン５１と補助ピン５２の間に挟まれる複数の鍵変換ピンＰの境界、あるいは、鍵変換ピンＰと補助ピン５２の境界が変換シアラインＢに整列する構成にすることもできる。この構成によれば、保持ピン５１の長さを選択できる範囲が広くなり、また鍵変換ピンＰの数を増やすことが可能となり、鍵変換前後の鍵違いの数を増やすことができる。
【００５２】
さらに、回転選択手段も実施形態に限定されず、例えば、連結ピン８を第１ロータ３に向け押圧する押圧手段を裏板１２の裏側に設け、第３連結ピン８ｃの一部が裏板１２を貫通して裏側に露出して押圧手段に当接する構成にすることもできる。
【図面の簡単な説明】
【００５３】
【図１】八万ロック錠の分解斜視図。
【図２】八万ロック錠の正面図。
【図３】図１のＩＩＩ−ＩＩＩ線で切断した図であり、図３（ａ）は通常位置、図３（ｂ）は変換位置での切断端面図である。
【図４】鍵変換操作を説明する模式図であり、図４（ａ）は通常位置、図４（ｂ）は変換位置での鍵変換前、図４（ｃ）は鍵変換後、図４（ｄ）は通常位置に戻した状態を表わす。
【符号の説明】
【００５４】
１      八万ロック錠
２      固定ハウジング
３      第１ロータ
４      第２ロータ
５      ロータ
６      コードピン
７      ドライブピン
８      連結ピン
８ａ    第１連結ピン
８ｂ    第２連結ピン
８ｃ    第３連結ピン
９      押圧板（押圧手段）
３１    保持ピン孔
３２    第１従動ピン孔
４１    変換ピン孔
４２    第２従動ピン孔
５１    保持ピン
６１    第１従動ピン
６２    第２従動ピン
８１    連通孔
９４    押圧バネ（押圧手段）
Ｈ      鍵穴
Ｍ      回転軸
Ｐ      鍵変換ピン
Ａ      通常シアライン
Ｂ      変換シアライン
【図１】
2008196277.tif 000003
【図２】
2008196277.tif 000004
【図３】
2008196277.tif 000005
【図４】
2008196277.tif 000006